(57)【要約】【課題】各部分ベルトの継ぎ合わせによる着用感の悪化が抑えられた服飾用ベルトの提供。【解決手段】延長部分ベルト１３（第１部分ベルト）には、延長部分ベルト本体１３Ａ（第１部分ベルト本体）と延長部１３Ｅとが可撓性を有する素材により一体形成される。接続部分ベルト１２（第２部分ベルト）には、接続部分ベルト本体１２Ａ（第２部分ベルト本体）と、延長部分ベルト本体１３Ａが重ねられる被重ね部１２Ｂと、延長部１３Ｅを接続部分ベルト本体１２Ａにおける他方面１２Ｆ側に差し入れるための貫通孔１２Ｄを有する差し入れ部１２Ｃとが可撓性を有する素材により一体形成される。延長部分ベルト本体１３Ａにおける他方面１３Ｇと被重ね部１２Ｂにおける一方面１２Ｅ、および、接続部分ベルト本体１２Ａにおける他方面１２Ｆと延長部１３Ｅにおける一方面１３Ｆが、それぞれ延長部１３Ｅおよび差し入れ部１２Ｃの変形が許容されるように結合される。【選択図】図５
2015021190.tif 000002
【特許請求の範囲】
【請求項１】
それぞれが一方面および他方面を有する帯状体として形成された第１部分ベルトおよび第２部分ベルトを、前記各一方面の向きおよび前記各他方面の向きが一致された状態で着脱可能に継ぎ合わせることができる服飾用ベルトにおいて、
前記第１部分ベルトには、当該第１部分ベルトの本体として着用者を締め付けることができる第１部分ベルト本体と、当該第１部分ベルト本体の前記第２部分ベルト側の端部から延長される延長部とが、可撓性を有する素材によって一体に形成され、
前記第２部分ベルトには、当該第２部分ベルトの本体として前記着用者を締め付けることができる第２部分ベルト本体と、前記第１部分ベルトと前記第２部分ベルトとを継ぎ合わせる際に前記一方面側から前記第１部分ベルト本体が重ねられる被重ね部と、当該被重ね部と前記第２部分ベルト本体との間となる位置に配設され、かつ、前記被重ね部と前記第１部分ベルト本体とが重ねられる際には前記延長部を前記第２部分ベルト本体の前記他方面側に差し入れて重ねることを可能とする貫通孔を有して、当該貫通孔に差し入れられた前記延長部が前記貫通孔の縁部によって前記一方面側および前記他方面側の両側から挟持されるように構成された差し入れ部とが、可撓性を有する素材によって一体に形成され、
前記第１部分ベルト本体における前記他方面と前記被重ね部における前記一方面、および、前記第２部分ベルト本体における前記他方面と前記延長部における前記一方面が、それぞれ前記延長部および前記差し入れ部の変形を許容することができる結合部材を介して着脱可能に結合されている、
服飾用ベルト。
【請求項２】
請求項１に記載の服飾用ベルトであって、
前記結合部材が、金属により形成され、かつ、前記第１部分ベルトおよび前記第２部分ベルトのうち少なくとも一方に点状に設けられることで、前記第１部分ベルトおよび前記第２部分ベルトを点状に結合させることができる点ファスナーである、
服飾用ベルト。
【請求項３】
請求項１または請求項２に記載の服飾用ベルトであって、
前記第１部分ベルト本体および前記第２部分ベルト本体における前記各他方面が、それぞれ着用時に前記着用者側となる面として設定されている、
服飾用ベルト。
【発明の詳細な説明】
【技術分野】
【０００１】
本発明は、複数の部分ベルトを着脱可能に継ぎ合わせる構成により、着用者が上記各部分ベルトのうち少なくとも１つを差し替えて着用することができる服飾用ベルトに関する。
【背景技術】
【０００２】
一般に、服飾用ベルトは、この服飾用ベルトの一端側に設けられたバックルを服飾用ベルトの他端側に設けられた剣先に係止させることで、所定の周長を有するループを形成することができるように構成されている。また、服飾用ベルトは、着用者のウエストに巻きつけた状態で上記バックルと上記剣先とを係止させることで、上記着用者が着ているズボンあるいはスカートなどの衣服を締め付けるループを形成して上記衣服が脱げ落ちないように保持する機能を有している。なお、服飾用ベルトは、着用者がファッションを楽しむために着用されることもある。
ここで、着用者のウエストに対応して設定される服飾用ベルトのループの周長は、長くても上記バックルから上記剣先の先端までの長さを越えることがない。このため、服飾用ベルトにおいては、想定された最大のウエストの太さよりも太いウエストを有する着用者にも対応できるようにするため、服飾用ベルトを複数の部分ベルトを着脱可能に継ぎ合わせた構成として、着用者が上記各部分ベルトを適宜差し替えられるようにしたいという要望があった。
【０００３】
複数の部分ベルトを着脱可能に継ぎ合わせ、この各部分ベルトを適宜差し替えられるようにした服飾用ベルトに関しては、例えば特許文献１に記載された技術が従来から知られている。この技術では、服飾用ベルトをバックル側および剣先側の２つの部分ベルトで構成し、この２つの部分ベルトをバックル側の部分ベルトに設けた接合部材により着脱可能に接合する。
上記技術によれば、部分ベルトを種々に差し替えることで、服飾用ベルトの長さを着用者のウエストの太さにあわせて適宜調整すること、および、各部分ベルトの組み合わせを種々に変えて着用者がファッションを楽しむことが可能となる。
【先行技術文献】
【特許文献】
【０００４】
【特許文献１】特開２００６−０５２４８４号公報
【発明の概要】
【発明が解決しようとする課題】
【０００５】
しかし、上記特許文献１に記載された従来の技術では、部分ベルト同士を結合するための接合部材として、１対の金属板で各部分ベルトを挟みこむように保持する接合金具を使用する。このため、上記従来の技術においては、各部分ベルトの変形がその結合部分において接合金具により規制されることで、服飾用ベルトの着用感が悪化されるという問題が発生していた。
本発明は、複数の部分ベルトを着脱可能に継ぎ合わせることができる服飾用ベルトにおいて、各部分ベルトの継ぎ合わせ部分に可撓性を備えさせることで、この継ぎ合わせ部分において服飾用ベルトの変形が規制されることを抑えて、この服飾用ベルトの着用感の悪化を抑えることを可能とするものである。
【課題を解決するための手段】
【０００６】
上記課題を解決するために、本発明の服飾用ベルトは以下の手段をとる。
まず、第１の発明は、それぞれが一方面および他方面を有する帯状体として形成された第１部分ベルトおよび第２部分ベルトを、上記各一方面の向きおよび上記各他方面の向きが一致された状態で着脱可能に継ぎ合わせることができる服飾用ベルトである。上記第１部分ベルトには、この第１部分ベルトの本体として着用者を締め付けることができる第１部分ベルト本体と、この第１部分ベルト本体の第２部分ベルト側の端部から延長される延長部とが、可撓性を有する素材によって一体に形成されている。上記第２部分ベルトには、この第２部分ベルトの本体として着用者を締め付けることができる第２部分ベルト本体と、第１部分ベルトと第２部分ベルトとを継ぎ合わせる際に上記一方面側から第１部分ベルト本体が重ねられる被重ね部と、この被重ね部と第２部分ベルト本体との間となる位置に配設され、かつ、被重ね部と第１部分ベルト本体とが重ねられる際には延長部を第２部分ベルト本体の上記他方面側に差し入れて重ねることを可能とする貫通孔を有して、この貫通孔に差し入れられた延長部が貫通孔の縁部によって上記一方面側および上記他方面側の両側から挟持されるように構成された差し入れ部とが、可撓性を有する素材によって一体に形成されている。上記第１部分ベルト本体における他方面と上記被重ね部における一方面、および、上記第２部分ベルト本体における他方面と上記延長部における一方面が、それぞれ上記延長部および上記差し入れ部の変形を許容することができる結合部材を介して着脱可能に結合されている。
この第１の発明によれば、第１部分ベルトの延長部を第２部分ベルトの差し入れ部により一方面側および他方面側の両側から挟持し、第２部分ベルトの被重ね部および上記延長部をそれぞれ第１部分ベルト本体および第２部分ベルト本体に重ねて結合することで、第１部分ベルトと第２部分ベルトとを着脱可能に継ぎ合わせることができる。また、第１部分ベルトおよび第２部分ベルトをそれぞれ可撓性のある素材によって一体に形成し、各部分ベルトを結合させる結合部材を延長部および差し入れ部の変形を許容できるものとすることで、各部分ベルトの継ぎ合わせ部分に可撓性を備えさせることができる。これにより、上記各部分ベルトの継ぎ合わせ部分において服飾用ベルトの変形が規制されることを抑えて、この服飾用ベルトの着用感の悪化を抑えることができる。
【０００７】
ついで、第２の発明は、上述した第１の発明において、上記結合部材が、金属により形成され、かつ、第１部分ベルトおよび第２部分ベルトのうち少なくとも一方に点状に設けられることで、第１部分ベルトおよび第２部分ベルトを点状に結合させることができる点ファスナーであるものである。
ここで、「点ファスナー」の具体例としては、例えばスナップボタンおよびギボシ留め金具ならびに帳ビスなどが挙げられる。すなわち、上記第２の発明によれば、結合部材が各部分ベルトを点状に結合させる構成により、上記結合部材を各部分ベルトの継ぎ合わせ部分の変形を許容できるものとしながら、この結合部材を強度の高い金属で形成することができる。これにより、第１部分ベルトの第１部分ベルト本体と第２部分ベルトの被重ね部との結合および第２部分ベルトの第２部分ベルト本体と第１部分ベルトの延長部との結合が外れることが抑えられ、第１部分ベルトと第２部分ベルトとが互いに分離されることが抑えられた服飾用ベルトを提供することができる。
【０００８】
さらに、第３の発明は、上述した第１または第２の発明において、第１部分ベルト本体および第２部分ベルト本体の上記各他方面が、それぞれ着用時に着用者側となる面として設定されているものである。
この第３の発明によれば、服飾用ベルトの着用時に、第１部分ベルトの延長部および第２部分ベルトの被重ね部は、それぞれ、服飾用ベルトの着用者とこの着用者を締め付ける第２部分ベルト本体および第１部分ベルト本体との間に挟まれて押さえ込まれた状態となる。このため、服飾用ベルトの着用時において、第１部分ベルトの第１部分ベルト本体と第２部分ベルトの被重ね部との結合および第２部分ベルトの第２部分ベルト本体と第１部分ベルトの延長部との結合が外れることが抑えられる。さらに、上記被重ね部と上記第１部分ベルトとの接触および上記延長部と上記第２部分ベルトとの接触のそれぞれにおいて、その接触によって発生されうる摩擦力の大きさがより大きくなる。これにより、着用時において第１部分ベルトと第２部分ベルトとが互いに分離されることが抑えられた服飾用ベルトを提供することができる。
【図面の簡単な説明】
【０００９】
【図１】本発明の一実施形態にかかる服飾用ベルトを表した正面図である。
【図２】図１の服飾用ベルトを表した背面図である。
【図３】図１の服飾用ベルトを表した底面図である。
【図４】図１の服飾用ベルトに対して、接続部分ベルトの差し替えおよび延長部分ベルトの追加を行った状態を表した正面図である。
【図５】図１の服飾用ベルトの着用状態における、接続部分ベルトと延長部分ベルトとの継ぎ合わせ部分を表した縦断面矢視図である。
【図６】図５の継ぎ合わせ部分の変形例を表した縦断面矢視図である。
【図７】図５の継ぎ合わせ部分の変形例を表した縦断面矢視図である。
【図８】図５の継ぎ合わせ部分の変形例を表した縦断面矢視図である。
【図９】図５の継ぎ合わせ部分の変形例を表した正面図である。
【図１０】図５の継ぎ合わせ部分の変形例を表した正面図である。
【発明を実施するための形態】
【００１０】
以下に、本発明の一実施形態にかかる服飾用ベルト１０の概略構成について、主に図１ないし図４を用いて説明する。なお、以下において、バックルをバックル部分ベルトに着脱可能に取り付ける構造などの付随的かつ従来から用いられている構成については、その詳細な説明を省略する。
服飾用ベルト１０は、着用者９０（図５参照）が自分の衣服（図示省略）の上から着用する服飾用ベルトである。ここで、着用者９０は、服飾用ベルト１０の着用により、上記衣服を締め付けて脱げ落ちないように保持することと、上記衣服と服飾用ベルト１０との組み合わせによりファッションを楽しむこととができる。
【００１１】
服飾用ベルト１０は、図１ないし図３に示すように、一端（図１では左側の端）にバックル１０Ａが着脱可能に取り付けられたバックル部分ベルト１１と、バックル部分ベルト１１の他端側（図１では右側）に配設される接続部分ベルト１２と、この接続部分ベルト１２を延長する延長部分ベルト１３と、バックル１０Ａが係止するための複数（例えば５つ）のベルト孔１４Ｃが所定の間隔を空けて形成された剣先部分ベルト１４とを着脱可能に継ぎ合わせた構成となっている。なお、各部分ベルト１１、１２、１３、１４は、それぞれ帯状に形成されている。
そして、服飾用ベルト１０は、図１および図４に示すように、その各部分ベルト１１、１２、１３、１４のうち１つ以上を差し替えて着用することができるようになっている。また、服飾用ベルト１０は、各部分ベルト１１、１２、１３、１４の間に延長部分ベルト１３を追加して継ぎ合わせることもできるようになっている。
【００１２】
なお、図４においては、図１に示す接続部分ベルト１２を施された意匠が異なる別の接続部分ベルト２２に差し替え、図１に示す延長部分ベルト１３と剣先部分ベルト１４との間に別の延長部分ベルト２３を追加して継ぎ合わせた状態の服飾用ベルト１０が図示されている。
ここで、接続部分ベルト２２は、施された意匠を除いて接続部分ベルト１２と全く同じ構成を有し、延長部分ベルト２３は、施された意匠を含めて延長部分ベルト１３と全く同じ構成を有している。このため、接続部分ベルト２２および延長部分ベルト２３の各構成については、接続部分ベルト１２および延長部分ベルト１３の各構成に付した符号から、その十の位の数字を「２」に置き換えた符号を付して対応させ、その詳細な説明を省略する。
【００１３】
上述した各構成によれば、各部分ベルト１１、１２、１３、１４を種々に差し替えることで、この各部分ベルト１１、１２、１３、１４の組み合わせを種々に変えて着用者９０（図５参照）がファッションを楽しむことが可能となる。また、延長部分ベルト１３の追加により、服飾用ベルト１０の長さを着用者９０のウエストの太さにあわせて適宜長くすることが可能となる。
なお、本実施形態の服飾用ベルト１０においては、各部分ベルト１１、１２、１３、１４は裁断加工された天然皮革により形成される。天然皮革を素材に用いる服飾用ベルト１０においてこの服飾用ベルト１０を各部分ベルト１１、１２、１３、１４の継ぎ合わせとする構成によれば、より小さいサイズの天然皮革から各部分ベルト１１、１２、１３、１４を製造することが可能となる。これにより、服飾用ベルト１０の歩留まりを改善することができる。
【００１４】
上述した各部分ベルト１１、１２、１３、１４の継ぎ合わせについて、図１ないし図５を用いてより具体的に説明する。バックル部分ベルト１１は、図１ないし図４に示すように、このバックル部分ベルト１１の本体として着用者９０（図５参照）を締め付けることができるバックル部分ベルト本体１１Ａと、このバックル部分ベルト本体１１Ａの接続部分ベルト１２側の端部（図１では右側の端部）から延長される１本の延長部１１Ｂとを備えている。ここで、バックル部分ベルト本体１１Ａと延長部１１Ｂとは、可撓性を有する素材（例えば天然皮革）によって一体に形成されている。
また、接続部分ベルト１２は、図１ないし図３に示すように、この接続部分ベルト１２の本体として着用者９０（図５参照）を締め付けることができる接続部分ベルト本体１２Ａと、この接続部分ベルト本体１２Ａの両端に設けられる差し入れ部１２Ｃと、この各差し入れ部１２Ｃからさらに延長されて設けられる被重ね部１２Ｂとを備えている。ここで、接続部分ベルト本体１２Ａと差し入れ部１２Ｃと被重ね部１２Ｂとは、可撓性を有する素材（例えば天然皮革）によって一体に形成されている。
【００１５】
また、延長部分ベルト１３は、図１ないし図５に示すように、この延長部分ベルト１３の本体として着用者９０を締め付けることができる延長部分ベルト本体１３Ａと、この延長部分ベルト本体１３Ａの接続部分ベルト１２側の端部（図１では左側の端部）から延長される１本の延長部１３Ｅと、延長部分ベルト本体１３Ａの剣先部分ベルト１４側の端部（図１では右側の端部）に設けられる差し入れ部１３Ｃと、この差し入れ部１３Ｃからさらに延長されて設けられる被重ね部１３Ｂとを備えている。ここで、延長部分ベルト本体１３Ａと延長部１３Ｅと差し入れ部１３Ｃと被重ね部１３Ｂとは、可撓性を有する素材（例えば天然皮革）によって一体に形成されている。
また、剣先部分ベルト１４は、図１ないし図４に示すように、この剣先部分ベルト１４の本体として着用者９０（図５参照）を締め付けることができる剣先部分ベルト本体１４Ａと、この剣先部分ベルト本体１４Ａの延長部分ベルト１３（図４では延長部分ベルト２３）側の端部（図１では左側の端部）から延長される１本の延長部１４Ｂとを備えている。ここで、剣先部分ベルト本体１４Ａと延長部１４Ｂとは、可撓性を有する素材（例えば天然皮革）によって一体に形成されている。
【００１６】
各差し入れ部１２Ｃ、１３Ｃは、図１ないし図３に示すように、それぞれが貫通孔１２Ｄ、１３Ｄを１つずつ備えている。この各貫通孔１２Ｄ、１３Ｄは、各延長部１１Ｂ、１３Ｅ、１４Ｂが１本ずつ差し入れられることで、上述した各部分ベルト１１、１２、１３、１４の継ぎ合わせを実現させるようになっている。
これにより、バックル部分ベルト１１および剣先部分ベルト１４は、それぞれ本発明における「第１部分ベルト」として機能される。また、接続部分ベルト１２は、本発明における「第２部分ベルト」として機能される。また、延長部分ベルト１３は、本発明における「第１部分ベルト」としても「第２部分ベルト」としても機能される。
【００１７】
なお、各貫通孔１２Ｄ、１３Ｄおよび各延長部１１Ｂ、１３Ｅ、１４Ｂは、それぞれ互いに同じ形状および大きさとなるように形成されている。これにより、各部分ベルト１１、１２、１３、１４の継ぎ合わせにおいては、上記第１部分ベルトとして機能される部分ベルトと上記第２部分ベルトとして機能される部分ベルトとのそれぞれにおいて、部分ベルトの互換性が確保されている。
上記構成によれば、各端部に差し入れ部１３Ｃおよび延長部１３Ｅが設けられた延長部分ベルト１３を、服飾用ベルト１０の各部分ベルト１１、１２、１３、１４のうち、任意の２つの間に追加して継ぎ合わせることが可能となる。さらに、接続部分ベルト１２と剣先部分ベルト１４とを延長部分ベルト１３を省略した状態で直接継ぎ合わせることで、服飾用ベルト１０の長さを短くすることが可能となる。
【００１８】
上述した各部分ベルト１１、１２、１３、１４の継ぎ合わせにおける継ぎ合わせ部分の具体的な構造について、主に図５に示す接続部分ベルト１２と延長部分ベルト１３との継ぎ合わせ部分の構造によって説明する。なお、各部分ベルト１１、１２、１３、１４の継ぎ合わせ部分はいずれも同様の構造を呈する。このため、上記接続部分ベルト１２と延長部分ベルト１３との継ぎ合わせ部分以外の、各部分ベルト１１、１２、１３、１４の継ぎ合わせ部分の構造については、その図示および詳細な説明を省略する。
接続部分ベルト１２および延長部分ベルト１３は、図３および図５に示すように、それぞれ一方面１２Ｅ、１３Ｆおよび他方面１２Ｆ、１３Ｇを有する帯状体として形成されている。そして、接続部分ベルト１２および延長部分ベルト１３は、その一方面１２Ｅ、１３Ｆの向き（図３では上向き）および各他方面１２Ｆ、１３Ｇの向き（図３では下向き）が一致された状態で互いに継ぎ合わされるようになっている。
【００１９】
接続部分ベルト１２と延長部分ベルト１３との継ぎ合わせにおいて、接続部分ベルト１２の被重ね部１２Ｂには、接続部分ベルト１２における一方面１２Ｅ側（図３では上側）から延長部分ベルト１３の延長部分ベルト本体１３Ａが重ねられる。また、延長部分ベルト１３の延長部１３Ｅは、接続部分ベルト１２の差し入れ部１２Ｃに形成された貫通孔１２Ｄを介して、接続部分ベルト１２における一方面１２Ｅ側から他方面１２Ｆ側（図３では上側から下側）に向かって差し入れられて、この他方面１２Ｆに重なった状態とされる。これにより、延長部分ベルト１３の延長部１３Ｅは、差し入れ部１２Ｃの貫通孔１２Ｄの縁部によって、接続部分ベルト１２における一方面１２Ｅ側および他方面１２Ｆ側の両側（図３では上下両側）から挟持された状態となる。
上記差し入れ部１２Ｃによる延長部１３Ｅの挟持は、延長部分ベルト本体１３Ａにおける他方面１３Ｇと被重ね部１２Ｂにおける一方面１２Ｅ、および、接続部分ベルト本体１２Ａにおける他方面１２Ｆと延長部１３Ｅにおける一方面１３Ｆがそれぞれスナップボタン１５を介して着脱可能に結合されることで保持される。これにより、接続部分ベルト１２と延長部分ベルト１３とは着脱可能に継ぎ合わせられた状態となる。ここで、スナップボタン１５は、本発明における「結合部材」に相当する。
【００２０】
各スナップボタン１５は、図５に示すように、接続部分ベルト本体１２Ａおよび延長部分ベルト本体１３Ａのそれぞれに他方面１２Ｆ、１３Ｇ側に開口されるように配設される雌スナップ１５Ｂと、被重ね部１２Ｂおよび延長部１３Ｅのそれぞれに一方面１２Ｅ、１３Ｆ側に突出されるように配設される雄スナップ１５Ａとから構成されている。ここで、各雄スナップ１５Ａおよび各雌スナップ１５Ｂは、それぞれ強度の高い金属（例えば真鍮または鉄あるいはステンレス鋼）によって形成されて、嵌合によって互いに結合されるようになっている。
また、各スナップボタン１５は、図１ないし図３に示すように、服飾用ベルト１０の各部分ベルト１１、１２、１３、１４に点状に設けられることで、この各部分ベルト１１、１２、１３、１４のうち互いに継ぎ合わされる任意の２つを点状に結合させることができるようになっている。言いかえると、各スナップボタン１５は、本発明における「点ファスナー」として機能されるようになっている。
【００２１】
上述した各構成によれば、それぞれが可撓性のある素材によって一体に形成された各部分ベルト１１、１２、１３、１４を各スナップボタン１５によって点状に結合させる構成により、互いに継ぎ合わせられる各部分ベルトにおける延長部および差し入れ部（例えば延長部分ベルト１３の延長部１３Ｅおよび接続部分ベルト１２の差し入れ部１２Ｃ）の変形をそれぞれ許容することができる。これにより、各部分ベルト１１、１２、１３、１４の継ぎ合わせ部分に可撓性を備えさせてこの継ぎ合わせ部分において服飾用ベルト１０の変形が規制されることを抑え、この服飾用ベルト１０の着用感の悪化を抑えることができる。
また、各部分ベルト１１、１２、１３、１４の結合に点ファスナーであるスナップボタン１５を使用する構成によれば、各部分ベルト１１、１２、１３、１４の継ぎ合わせ部分の変形を許容できるものとしながら、各スナップボタン１５を強度の高い金属で形成することができる。これにより、各部分ベルト１１、１２、１３、１４の継ぎ合わせ部分において、結合（例えば延長部分ベルト本体１３Ａにおける他方面１３Ｇと被重ね部１２Ｂにおける一方面１２Ｅとの結合および接続部分ベルト本体１２Ａにおける他方面１２Ｆと延長部１３Ｅにおける一方面１３Ｆとの結合）が外れることを抑えることができる。そして、互いに継ぎ合わされた各部分ベルト１１、１２、１３、１４が分離されることが抑えられた服飾用ベルト１０を提供することができる。
【００２２】
ところで、上述した点ファスナーとしては、図７に示すように、それぞれスリット３５Ｂ、４５Ｂを有する係止孔３５Ａ、４５Ａに対して差し込みにより係止されるギボシ留め金具３５、４５を使用することもできる。ここで、ギボシ留め金具３５、４５の差し込みの向きは、互いに継ぎ合わせられる各部分ベルトにおける一方面側および他方面側のいずれにも設定することができる。
なお、図７においては、図５に示す接続部分ベルト１２と延長部分ベルト１３との継ぎ合わせ部分の構造において、図５で右側に位置されるスナップボタン１５を一方面１２Ｅ、１３Ｆ側から他方面１２Ｆ、１３Ｇ側に向かって差し込まれるギボシ留め金具３５に置き換え、図５で左側に位置されるスナップボタン１５を他方面１２Ｆ、１３Ｇ側から一方面１２Ｅ、１３Ｆ側に向かって差し込まれるギボシ留め金具４５に置き換えた状態の服飾用ベルト１０が図示されている。
【００２３】
また、上述した点ファスナーとしては、図８に示すように、互いに螺合される雄ねじ５５Ａと雌ねじ５５Ｂとで構成される帳ビス５５を使用することもできる。この場合、雄ねじ５５Ａと雌ねじ５５Ｂとを互いに螺合させる力を伝達するための溝であるすりわり５５Ｃを、服飾用ベルト１０の着用時に着用者側９０となる側のみに配設すると、服飾用ベルト１０の着用時において帳ビス５５による結合が外れにくくなる。
なお、図８においては、図５に示す接続部分ベルト１２と延長部分ベルト１３との継ぎ合わせ部分の構造において、雄スナップ１５Ａを雄ねじ５５Ａに置き換え、雌スナップ１５Ｂを雌ねじ５５Ｂに置き換えることでスナップボタン１５を帳ビス５５に置き換えた状態の服飾用ベルト１０が図示されている。
【００２４】
さて、上述した接続部分ベルト１２と延長部分ベルト１３との継ぎ合わせにおいては、図５に示すように、各他方面１２Ｆ、１３Ｇは、それぞれ服飾用ベルト１０の着用時において着用者側９０となる面として設定されている。このため、服飾用ベルト１０の着用時においては、延長部分ベルト１３の延長部１３Ｅおよび接続部分ベルト１２の被重ね部１２Ｂは、それぞれ、服飾用ベルト１０の着用者９０とこの着用者９０を締め付ける接続部分ベルト本体１２Ａおよび延長部分ベルト本体１３Ａとの間に挟まれて押さえ込まれた状態となる。
上記構成によれば、服飾用ベルト１０の着用時において、延長部分ベルト１３の延長部分ベルト本体１３Ａと接続部分ベルト１２の被重ね部１２Ｂとの結合および接続部分ベルト１２の接続部分ベルト本体１２Ａと延長部分ベルト１３の延長部１３Ｅとの結合が外れることが抑えられる。さらに、被重ね部１２Ｂと延長部分ベルト１３との接触および延長部１３Ｅと接続部分ベルト１２との接触のそれぞれにおいて、その接触によって発生されうる摩擦力の大きさがより大きくなる。これにより、着用時において接続部分ベルト１２と延長部分ベルト１３とが互いに分離されることが抑えられた服飾用ベルト１０を提供することができる。なお、上記構成および作用効果は、服飾用ベルト１０における各部分ベルト１１、１２、１３、１４の継ぎ合わせ部分のいずれにも有効なものであることは、言及するまでもないことである。
【００２５】
ところで、各スナップボタン１５においては、図１および図２に示すように、雌スナップ１５Ｂのほうが、雄スナップ１５Ａよりも意匠性に優れるように形成されている。ここで、各スナップボタン１５においてより意匠性の劣る雄スナップ１５Ａを着用者側９０となる被重ね部１２Ｂおよび延長部１３Ｅに配設する構成（図５参照）によれば、各雄スナップ１５Ａは、服飾用ベルト１０の着用時において外部に露見されないように覆われた状態となる。これにより、服飾用ベルト１０の着用時におけるファッション性を向上させることができる。
なお、バックル部分ベルト１１および剣先部分ベルト１４においては、図１および図４に示すように、各スナップボタン１５の雌スナップ１５Ｂは、この各雌スナップ１５Ｂの意匠性をさらに向上させる飾りであるコンチョ１５Ｃによって覆われている。ここで、バックル部分ベルト１１および剣先部分ベルト１４は、服飾用ベルト１０の着用時においては着用者９０（図５参照）の前側に位置されるものである。このため、バックル部分ベルト１１および剣先部分ベルト１４において各雌スナップ１５Ｂをコンチョ１５Ｃにより覆う構成によれば、服飾用ベルト１０を着用した着用者９０を前方から見た際のファッション性が向上される。
【００２６】
ところで、服飾用ベルトにおける各部分ベルトの継ぎ合わせにおいては、図６に示す服飾用ベルト６０における接続部分ベルト６２と延長部分ベルト６３との継ぎ合わせのように、被重ね部および延長部に第１部分ベルト本体および第２部分ベルト本体が重ねられる一方面側（図６では一方面６２Ｅ、６３Ｆ側）を着用者９０側となるように設定することもできる。この場合、各スナップボタン６５の雄スナップ６５Ａおよび雌スナップ６５Ｂのうち意匠性に劣る一方（図６では雄スナップ６５Ａ）は、服飾用ベルト１０の着用時において着用者９０側となる第１部分ベルト本体および第２部分ベルト本体（図６では延長部分ベルト本体６３Ａおよび接続部分ベルト本体６２Ａ）に配設されることで、外部に露見されないように覆われた状態とされる。
上述した各構成によれば、図１ないし図５に示した服飾用ベルト１０と比べて各部分ベルトが互いに分離されやすくなるものの、服飾用ベルト１０と同様に着用感の悪化が抑えられた服飾用ベルト６０を提供することができる。さらに、各スナップボタン６５の雄スナップ６５Ａおよび雌スナップ６５Ｂのうち意匠性に劣る一方を外部に露見されないようにして、服飾用ベルト６０の着用時におけるファッション性を向上させることができる。なお、服飾用ベルト６０は、上述した各構成を除いて、図１ないし図５に示した服飾用ベルト１０と同様の構成を有している。このため、服飾用ベルト６０の各構成については、服飾用ベルト１０の各構成に付した符号から、その十の位の数字を「６」に置き換えた符号を付して対応させ、その詳細な説明を省略する。
【００２７】
また、服飾用ベルトにおける第１部分ベルトおよび第２部分ベルトの継ぎ合わせは、図９に示すように、この第２部分ベルトの差し入れ部に設けられた複数の貫通孔に、第１部分ベルトの端部から複数本延長された延長部をそれぞれ差し込むことで実現されるものであってもよい。この構成によれば、第１部分ベルトおよび第２部分ベルトを各部分ベルトの幅方向に沿って設定される複数箇所で継ぎ合わせて、各部分ベルトの幅が広く設定された場合でもこの各部分ベルトを強固に継ぎ合わせることが可能となる。
なお、図９においては、差し入れ部７２Ｃに２つの貫通孔７２Ｄが設けられた接続部分ベルト７２に、延長部分ベルト本体７３Ａから２本の延長部７３Ｂが延長された延長部分ベルト７３を、合計４個のスナップボタン７５を使用しながら継ぎ合わせた服飾用ベルト７０が図示されている。この服飾用ベルト７０は、上述した貫通孔および延長部ならびにスナップボタンの数を除いて、図１ないし図５に示した服飾用ベルト１０と同様の構成を有している。このため、服飾用ベルト７０の各構成については、服飾用ベルト１０の各構成に付した符号から、その十の位の数字を「７」に置き換えた符号を付して対応させ、その詳細な説明を省略する。
【００２８】
また、服飾用ベルトにおける各部分ベルトは、図１０に示すように、各部分ベルト本体の１つの端部に、被重ね部および差し入れ部ならびに貫通孔と延長部とを、各部分ベルトの幅方向に並べて備えたものであってもよい。この構成によれば、服飾用ベルトにおける各部分ベルトがそれぞれ第１部分ベルトおよび第２部分ベルトとして機能され、各部分ベルトをその幅方向に沿って設定される複数箇所で継ぎ合わせることができる。これにより、各部分ベルトの幅が広く設定された場合でもこの各部分ベルトを強固に継ぎ合わせることが可能となる。
なお、図１０においては、各部分ベルト８１、８２における各部分ベルト本体８１Ａ、８２Ａの１つの端部に、被重ね部８１Ｂ、８２Ｂおよび差し入れ部８１Ｃ、８２Ｃならびに貫通孔８１Ｄ、８２Ｄと、延長部８１Ｅ、８２Ｅとを、各部分ベルト８１、８２の幅方向（図示上下方向）に並べて備えた服飾用ベルト８０が図示されている。ここで、図１０に図示された被重ね部８１Ｂ、８２Ｂ、差し入れ部８１Ｃ、８２Ｃ、貫通孔８１Ｄ、８２Ｄ、延長部８１Ｅ、８２Ｅ、および、スナップボタン８５は、それぞれ、図５に図示された被重ね部１２Ｂ、差し入れ部１２Ｃ、貫通孔１２Ｄ、延長部１３Ｅ、および、スナップボタン１５と同様の構成および作用効果を有する部材であるため、その詳細な説明を省略する。
【００２９】
本発明は、上述した各実施形態で説明した外観、構成に限定されず、本発明の要旨を変更しない範囲で種々の変更、追加、削除が可能である。例えば、以下のような各種の形態を実施することができる。
（１）服飾用ベルトにおいて各部分ベルトを互いに継ぎ合わせる際に使用される結合部材は、金属製の点ファスナーに限定されない。すなわち、本発明においては、柔軟性を有する面ファスナーまたはバンド部材など、延長部および差し入れ部の変形を許容することができる任意の結合部材を採用することができる。
（２）服飾用ベルトにおいて、各部分ベルトは裁断加工された天然皮革により形成されたものに限定されず、例えば人工皮革または布など、任意の素材により形成されたものとすることができる。
【符号の説明】
【００３０】
１０    服飾用ベルト
１０Ａ  バックル
１１    バックル部分ベルト（第１部分ベルト）
１１Ａ  バックル部分ベルト本体（第１部分ベルト本体）
１１Ｂ  延長部
１２    接続部分ベルト（第２部分ベルト）
１２Ａ  接続部分ベルト本体（第２部分ベルト本体）
１２Ｂ  被重ね部
１２Ｃ  差し入れ部
１２Ｄ  貫通孔
１２Ｅ  一方面
１２Ｆ  他方面
１３    延長部分ベルト（第１部分ベルト、第２部分ベルト）
１３Ａ  延長部分ベルト本体（第１部分ベルト本体、第２部分ベルト本体）
１３Ｂ  被重ね部
１３Ｃ  差し入れ部
１３Ｄ  貫通孔
１３Ｅ  延長部
１３Ｆ  一方面
１３Ｇ  他方面
１４    剣先部分ベルト（第１部分ベルト）
１４Ａ  剣先部分ベルト本体（第１部分ベルト本体）
１４Ｂ  延長部
１４Ｃ  ベルト孔
１５    スナップボタン（点ファスナー、結合部材）
１５Ａ  雄スナップ
１５Ｂ  雌スナップ
１５Ｃ  コンチョ
２２    接続部分ベルト（第２部分ベルト）
２２Ａ  接続部分ベルト本体（第２部分ベルト本体）
２２Ｂ  被重ね部
２２Ｃ  差し入れ部
２２Ｄ  貫通孔
２３    延長部分ベルト（第１部分ベルト、第２部分ベルト）
２３Ａ  延長部分ベルト本体（第１部分ベルト本体、第２部分ベルト本体）
２３Ｂ  被重ね部
２３Ｃ  差し入れ部
２３Ｄ  貫通孔
２３Ｅ  延長部
３５    ギボシ留め金具（点ファスナー、結合部材）
３５Ａ  係止孔
３５Ｂ  スリット
４５    ギボシ留め金具（点ファスナー、結合部材）
４５Ａ  係止孔
４５Ｂ  スリット
５５    帳ビス（点ファスナー、結合部材）
５５Ａ  雄ねじ
５５Ｂ  雌ねじ
５５Ｃ  すりわり
６０    服飾用ベルト
６２    接続部分ベルト（第２部分ベルト）
６２Ａ  接続部分ベルト本体（第２部分ベルト本体）
６２Ｂ  被重ね部
６２Ｃ  差し入れ部
６２Ｄ  貫通孔
６２Ｅ  一方面
６２Ｆ  他方面
６３    延長部分ベルト（第１部分ベルト、第２部分ベルト）
６３Ａ  延長部分ベルト本体（第１部分ベルト本体、第２部分ベルト本体）
６３Ｅ  延長部
６３Ｆ  一方面
６３Ｇ  他方面
６５    スナップボタン（点ファスナー、結合部材）
６５Ａ  雄スナップ
６５Ｂ  雌スナップ
７０    服飾用ベルト
７２    接続部分ベルト（第２部分ベルト）
７２Ａ  接続部分ベルト本体（第２部分ベルト本体）
７２Ｂ  被重ね部
７２Ｃ  差し入れ部
７２Ｄ  貫通孔
７３    延長部分ベルト（第１部分ベルト、第２部分ベルト）
７３Ａ  延長部分ベルト本体（第１部分ベルト本体、第２部分ベルト本体）
７３Ｅ  延長部
７５    スナップボタン（点ファスナー、結合部材）
８１    部分ベルト（第１部分ベルト、第２部分ベルト）
８１Ａ  部分ベルト本体（第１部分ベルト本体、第２部分ベルト本体）
８１Ｂ  被重ね部
８１Ｃ  差し入れ部
８１Ｄ  貫通孔
８１Ｅ  延長部
８２    部分ベルト（第１部分ベルト、第２部分ベルト）
８２Ａ  部分ベルト本体（第１部分ベルト本体、第２部分ベルト本体）
８２Ｂ  被重ね部
８２Ｃ  差し入れ部
８２Ｄ  貫通孔
８２Ｅ  延長部
８５    スナップボタン（点ファスナー、結合部材）
９０    着用者
【図１】
2015021190.tif 000003
【図２】
2015021190.tif 000004
【図３】
2015021190.tif 000005
【図４】
2015021190.tif 000006
【図５】
2015021190.tif 000007
【図６】
2015021190.tif 000008
【図７】
2015021190.tif 000009
【図８】
2015021190.tif 000010
【図９】
2015021190.tif 000011
【図１０】
2015021190.tif 000012